(57)【特許請求の範囲】
【請求項１】
桁数を示す記号を効率よく体得するために補助的に使用される学習補助用文字盤であって、
時計の文字盤と同じく、中心から放射状に１２分割され、少なくとも３時、６時、９時及び１２時の方向に分割境界線が配置された表面を有する基層と、
前記分割境界線が配置された前記基層の前記表面に、
前記３時の方向に配置された「ｋ」の記号を表す視標と、
前記６時の方向に配置された「Ｍ」の記号を表す視標と、及び、
前記９時の方向に配置された「Ｇ」の記号を表す視標と、
を含んでなり、
前記「ｋ」の記号を表す前記視標は、前記基層の前記表面上にて左耳を含む顔の左側輪郭部を表すようになっており、
前記「Ｍ」の記号を表す前記視標は顎又は首を含む前記顔の下側輪郭部を表すようになっており、及び、
前記「Ｇ」の記号を表す前記視標は右耳を含む前記顔の右側輪郭部を表すようになっており、
前記「ｋ」、「Ｍ」及び「Ｇ」の記号を表す前記視標は、このように全体として前記顔の前記輪郭の少なくとも一部を形成する装飾文字とみなされており、さらに、
前記基層は前記顔の前記輪郭の内側において、
前記３時の方向に配置された「ｍ」の記号を表す視標と、
前記６時の方向に配置された「μ」の記号を表す視標と、
前記９時の方向に配置された「ｎ」の記号を表す視標と、及び、
前記「μ」の記号の下方に配置された「−」の符号を表す視標と、
を含んでなり、
前記「ｍ」の記号を表す前記視標は前記顔の左目を表すようになっており、
前記「μ」の記号を表す前記視標は前記顔の鼻を表すようになっており、
前記「ｎ」の記号を表す前記視標は前記顔の右目を表すようになっており、及び、
前記「−」の符号を表す前記視標は前記顔の口を表すようになっており、それにより、
ユーザーに対して、前記分割境界線と協働して、前記顔の前記輪郭の少なくとも一部を形成する装飾文字とみなされる前記各視標及び前記顔の前記輪郭の内側に配置される前記各視標が夫々、桁数である１０ｎ又は１０−ｎ（但し、ｎは前記時計の文字盤と同じ態様で前記分割境界線上に順次配置されることとなる１≦ｎ≦１２の整数）を示す記号であることを効率よく体得せしめることを特徴とする学習補助用文字盤。
【請求項２】
さらに、
４時の方向に配置された「万」の記号を表す視標と、
８時の方向に配置された「億」の記号を表す視標と、及び、
１２時の方向に配置された「兆」の記号を表す視標と、
を備え、前記顔が装飾されてなることを特徴とする請求項１に記載の学習補助用文字盤。
【発明の詳細な説明】
【０００１】
【発明の属する技術分野】
本発明は、桁数を表す記号を理解し、それを記憶して保持し、さらに使用時に容易に想起できる文字盤に関する。
【０００２】
【従来の技術】
国際機関によって規定され世界中で使用されていることもあり、キロ（ｋ）、メガ（Ｍ）、ギガ（Ｇ）およびテラ（Ｔ）等や、ミリ（ｍ）、マイクロ（μ）、ナノ（ｎ）およびピコ（ｐ）等のＳＩ接頭語は、学界産業界のみならず日常生活においても便利に使用され耳にすることも多くなってきたが、その記号が示す桁数を正確に理解するのは難しく、時には桁数を間違えてしまう場合もある。また、これらの記号を初めて学習する者の多くはその桁数を暗記すると思われるが、単なる機械的暗記では忘れやすく、必要な時に使用できない。従来、このような記号を理解し記憶し想起するための方法はほとんど提案されておらず、容易に覚えられて忘れにくい方法が求められている。
【０００３】
【発明が解決しようとする課題】
そこで本発明は、桁数を示す記号を理解し記憶し想起するための新規な技術を提供することを課題とする。
【０００４】
【課題を解決するための手段】
上記の課題を解決するため種々検討を重ねた結果、本発明者は、
桁数を示す記号を効率よく体得するために補助的に使用される学習補助用文字盤であって、
時計の文字盤と同じく、中心から放射状に１２分割され、少なくとも３時、６時、９時及び１２時の方向に分割境界線が配置された表面を有する基層と、
前記分割境界線が配置された前記基層の前記表面に、
前記３時の方向に配置された「ｋ」の記号を表す視標と、
前記６時の方向に配置された「Ｍ」の記号を表す視標と、及び、
前記９時の方向に配置された「Ｇ」の記号を表す視標と、
を含んでなり、
前記「ｋ」の記号を表す前記視標は、前記基層の前記表面上にて左耳を含む顔の左側輪郭部を表すようになっており、
前記「Ｍ」の記号を表す前記視標は顎又は首を含む前記顔の下側輪郭部を表すようになっており、及び、
前記「Ｇ」の記号を表す前記視標は右耳を含む前記顔の右側輪郭部を表すようになっており、
前記「ｋ」、「Ｍ」及び「Ｇ」の記号を表す前記視標は、このように全体として前記顔の前記輪郭の少なくとも一部を形成する装飾文字とみなされており、さらに、
前記基層は前記顔の前記輪郭の内側において、
前記３時の方向に配置された「ｍ」の記号を表す視標と、
前記６時の方向に配置された「μ」の記号を表す視標と、
前記９時の方向に配置された「ｎ」の記号を表す視標と、及び、
前記「μ」の記号の下方に配置された「−」の符号を表す視標と、
を含んでなり、
前記「ｍ」の記号を表す前記視標は前記顔の左目を表すようになっており、
前記「μ」の記号を表す前記視標は前記顔の鼻を表すようになっており、
前記「ｎ」の記号を表す前記視標は前記顔の右目を表すようになっており、及び、
前記「−」の符号を表す前記視標は前記顔の口を表すようになっており、それにより、
ユーザーに対して、前記分割境界線と協働して、前記顔の前記輪郭の少なくとも一部を形成する装飾文字とみなされる前記各視標及び前記顔の前記輪郭の内側に配置される前記各視標が夫々、桁数である１０ｎ又は１０−ｎ（但し、ｎは前記時計の文字盤と同じ態様で前記分割境界線上に順次配置されることとなる１≦ｎ≦１２の整数）を示す記号であることを効率よく体得せしめることを特徴とする学習補助用文字盤、
とすることによって解決できることを見いだした。
以下に本発明をさらに詳細に説明する。
【０００５】
図１は本発明の一実施例による文字盤を示す図である。
この文字盤は、１〜１２時の方向に放射状に１２分割されており、文字盤のｎ時の方向は１０n を表すようになっている。具体的には、１時の方向は１０1 、２時の方向は１０2 、３時の方向は１０3 ・・・・１１時の方向は１０11、１２時の方向は１０12、１３時の方向は１０13・・・・を表すようになっている。
【０００６】
そして、１時の方向には１０1を表す記号である「ｄａ（デカ）」の文字が配置されており、２時の方向には１０2を表す記号である「ｈ（ヘクト）」の文字が配置されており、３時の方向には１０3を表す記号である「ｋ（キロ）」の文字が配置されており、６時の方向には１０6を表す記号である「Ｍ（メガ）」の文字が配置されており、９時の方向には１０9を表す記号である「Ｇ（ギガ）〕の文字が配置されており、１２時の方向には１０12を表す「Ｔ（テラ）」の文字が配置されている。また、１５時の方向には１０15を表す「Ｐ（ペタ）」の文字が配置されており、１８時の方向には１０18を表す「Ｅ（エクサ）」の文字が配置されており、２１時の方向には１０21を表す「Ｚ（ゼタ）」の文字が配置されており、２４時の方向には１０24を表す「Ｙ（ヨタ）」の文字が配置されている。なお、１０13〜１０24を示す記号は１０1 〜１０12を示す記号よりも外側に配置されるようになっている。ここで、「ｋ」および「Ｐ」の文字は左耳を含む顔の左側輪郭部を表すようになっており、「Ｍ」や「Ｅ」の文字は顎や首を含む顔の下側輪郭部を表すようになっており、「Ｇ」や「Ｚ」の文字は右耳を含む顔の右側輪郭部を表すようになっており、「Ｔ」や「Ｙ」の文字は頭を含む顔の上側輪郭部を表すようになっている。即ち、これらの文字は、一体となって顔の輪郭を形成するような装飾文字になっている。
【０００７】
また、１時の方向には「十」の文字から成る記号が配置されており、２時の方向には「百」の文字から成る記号が配置されており、３時の方向には「千」の文字から成る記号が配置されている。また、４時の方向には１０4 を表す「万」の文字から成る記号が配置されており、「ｋ」の文字によって表された左耳に着けられたイヤリングを表している。また、８時の方向には１０8 を表す「億」の文字から成る記号が配置されており、「Ｇ」の文字によって表された右耳に着けられたイヤリングを表している。また、１２時の方向には１０12を表す「兆」の文字から成る記号が配置されており、頭頂の飾りを表している。また、１６時の方向には１０16を表す「京」の文字から成る記号が配置されており、「ｋ」の文字によって表された左耳に着けられたイヤリングを表している。また、２０時の方向には１０20を表す「垓」の文字から成る記号が配置されており、右耳に着けられたイヤリングを表している。
【０００８】
一方、この文字盤のｎ時の方向は１０ -n を表すようにもなっている。具体的には、１時の方向は１０-1、２時の方向は１０-2、３時の方向は１０-3、・・・・１１時の方向は１０-11 、１２時の方向は１０-12 、１３時の方向は１０-13 ・・・・を表すようになっている。
【０００９】
そして、１時の方向には１０-1を表す記号である「ｄ（デシ）」および「分」の文字が配置されており、２時の方向には１０-2を表す記号である「ｃ（センチ）」および「厘」の文字が配置されており、３時の方向には１０-3を表す記号である「ｍ（ミリ）」および「毛」の文字が配置されており、６時の方向には１０-6を表す記号であう「μ（マイクロ）」の文字が配置されており、９時の方向には１０-9を表す記号である「ｎ（ナノ）」の文字が配置されており、１２時の方向には１０-12 を表す記号である「ｐ（ピコ）」の文字が配置されており、１５時の方向には１０-15 を表す記号である「ｆ（フェムト）」の文字が配置されており、１８時の方向には１０-18 を表す「ａ（アト）」の文字が配置されており、２１時の方向には１０-21 を表す「ｚ（ゼプト）」の文字が配置されており、２４時の方向には１０-24 を表す「ｙ（ヨクト）」の文字が配置されている。
これらの文字は、上記の「ｋ」、「Ｍ」、「Ｇ」および「Ｔ」の文字によって表された顔の輪郭の内側に配置されており、例えば、「ｍ」の文字は左目を表すようになっており、「μ」の文字は鼻を表すようになっており、「μ」の下の「−」は口を表すと同時にこの領域が「１０- 」即ち「マイナスべき数」であることを示しており、「ｎ」の文字は右目を表すようになっており、「ｐ」の文字は額の装飾（ビューティースポット、付け黒子）を表すようになっており、「ｆ」の文字は鼻の陰影を表すようになっている。なお、本発明において、輪郭は、必ずしも連続している必要はなく、図１に示すように、補助線が「ｋ」、「Ｍ」、「Ｇ」および「Ｔ」によって形成される輪郭を補っていてもよい。
なお、１０-13 〜１０-24 を示す記号は１０-1〜１０-12 を示す記号よりも内側に配置されるようになっている。
【００１０】
なお、図１に示すように、１０0 の方向で「Ｔ」と「Ｐ」のほぼ中間に、起点を示すべく、「１」の文字が配置されている。なお、「１」の文字は理解や認識に役立つが、「Ｔ」の文字の縦線部分が「１」を連想できることもあり、実用的役割は少ないので省略してもよい。
【００１１】
本発明によると、顔の模様を思い浮かべるだけで、ある桁数を表す記号が１０の何乗であるのかを容易に導き出すことができる。即ち、従来は数を表す記号については、関心分野についてしか認識されていなかったが、本発明によると数を表す記号を相対的な体系としても絶対的な数としても正確に認識できるようになる。換言すると、従来は記号順位の丸暗記と１０3 （漢数字では１０ 4）飛び程度の知識では認識に長時間を要するが、本発明の図を思い浮かべると即時に数値や位置を把握することができる。
【００１２】
さらに、本発明は、１０4 を表す「ｍｙｒｉａ（ミリア）」、１０9 を表す「ｂｉｌｌｉｏｎ（ビリオン）」等の記号を、適宜、本発明の文字盤に配置してもよい。
【００１３】
なお、本発明においては、１０nを表す記号は外側に螺旋状に配置されるようになっており、１０-nを表す記号は内側に螺旋状に配置されるようになっている。１０13以上の記号や１０-13以下の記号の配置方法を明らかにしておいて、混同を防止するためである。従って、例えば「ｑｕｉｎｔｉｌｌｉｏｎ（クィンティリオン：１０18）」は「Ｍ」の記号よりも外側（下側）に配置されるようになっており、「ｆ（フェムト：１０-15）」は「ｍ」の記号よりも内側に配置されるようになっている。この実施例の文字盤では、６時の方向にある「Ｍ」の文字よりも外側には「＋」の文字が配置されており、一方「Ｍ」の文字よりも内側には「−」の文字が配置されている。これは顔の輪郭を形成している「ｋ」や「Ｍ」や「Ｇ」や「Ｔ」等を含むそれよりも外側に配置された文字が「１０n 」を示していることを表し、一方、顔の輪郭よりも内側に配置された文字が「１０-n」を示していることを表している。
【００１４】
本発明において使用される「記号」には次の特徴が見いだされ適切に活用されていることが認められる。
「μ」は鼻や連なるしわに近い形である。
「ｍ」や「ｎ」は互いに似ており、目や睫毛に近い形である。
「ｐ」は小文字で小さな丸であり、付け黒子を連想するのに適する。
「ｆ」は鼻の上部の陰影に見せてデザインできる。
「−」は１０- 領域であることの説明を兼ね、顔に不可欠な口を表わす。
「Ｍ」や「Ｔ」は左右対称であり、首や頭に見立てやすい。
「Ｇ」や「Ｐ」は耳の丸みに近い。
「ｋ」は筆記体であらわすと丸みが出せる。
「Ｅ」は首衿としてまとまる。
「＋」は１０+ であることを説明し、典型的な首飾りを表す。
【００１５】
本発明の文字盤は、種々の用途があると思われる、例えば、時計の文字盤として使用してもよい。また、記憶のための文字盤専用のほか、普及や啓蒙を兼ねた図柄として、さらに実用現場での翻訳、通訳、換算などのために常用してもよく、また図柄の記憶のための学習用に使用してもよい。本発明の文字盤は、実用性があることに加えて、文字の形状が有する偶然性および幸運性によって桁数を示す記号を容易に理解し記憶し想起することが可能になる。
【００１６】
なお、本発明において、「記号」には、ＳＩ接頭語から成る記号や、「百」、「千」等からなる記号のみならず、「ｍｉｌｌｉｏｎ」や「ｂｉｌｌｉｏｎ」等の単語から成る記号も含むものとする。
【００１７】
別の実施例
図２は本発明の文字盤の別の実施例である。この図２に示す文字盤は、比較的使用頻度の高い記号のみから構成されており、図１に記載の文字盤よりも簡略化されている。
また、図３は本発明の文字盤の更なる別の実施例である。特に、この図３に示す文字盤は「ｋ」が小文字であることを明確にすべく、筆記体調に描かれている。また首のあたりに配置された「＋」の記号の両側には「１０００」の文字が鎖風に描かれており、この作品が西暦２０００年の作品であることを暗示していると同時に、プラス記号である説明を兼ねている。
また、図４は比較的模式的に記載した本発明の文字盤である。
また、図５は、本発明の別の実施例であり、英文表示された文字が髪の毛のような模様になっている。
【００１８】
本発明によると、大小方向や渦巻き方向を「＋」側と「−」側で逆向きに転換させる飛躍がむしろ自然にも見え、そのうえ内外同方向の数値の積が１になり、計算や換算にも役立つ。
また使用頻度の多い範囲が顔面の絵として都合よく、記憶に従って逐次、記号を増やしながら多くの記号を理解し記憶し想起するのに役立つ。
また、本発明によると、西洋の１０3 飛びと東洋の１０4 飛びによる桁数の理解が、体系的かつ模式的に理解することができる。
【図面の簡単な説明】
【図１】  本発明の文字盤を示す図である。
【図２】  本発明の文字盤を示す図である。
【図３】  本発明の文字盤を示す図である。
【図４】  本発明の文字盤を示す図である。
【図５】  本発明の文字盤を示す図である。
【図１】
0004748555.tif 000002
【図２】
0004748555.tif 000003
【図３】
0004748555.tif 000004
【図４】
0004748555.tif 000005
【図５】
0004748555.tif 000006